(57)【要約】【課題】  原稿幅を検出するセンサの出力と転写紙幅を検出するセンサの出力を切替えて共通の入力ポートに入力することで、原稿読み取り装置、給紙搬送装置それぞれに必要なセンサの数に対して、入力ポートの数を減らし、またセンサ出力検出のためのソフトのリソースも共通にした画像形成装置を提供すること。【解決手段】    原稿幅、転写紙幅、それぞれのセンサの出力はＰＣＢ基板へ入力され、そのＰＣＢ基板に入力されたセンサ信号はスイッチングＩＣに入力される。スイッチングＩＣは制御信号によりＩＣに入力された信号の出力を切替えるＩＣであり、例えば、ＣＰＵから出力される制御信号がＬレベル信号の場合、原稿幅を検出したセンサ出力が、Ｈレベルの場合、転写紙幅を検出したセンサ出力がＣＰＵへ入力される。【選択図】  図６
2006011318.tif 000002
【特許請求の範囲】
【請求項１】
挿入される原稿の用紙幅を検知する第１のセンサを備え、原稿移動により当該原稿を読み取る読取手段と、
前記読取手段で読み取った原稿画像データを処理する画像処理手段と、
前記画像処理手段で処理された原稿画像データを所定の転写紙に転写する転写手段と、
転写紙の幅を検知する第２のセンサを備え、前記転写手段に転写紙を搬送する搬送手段と、を備え、
前記第１のセンサの出力と前記第２のセンサの出力を切替えて共通の入力ポートに入力することで、原稿の用紙幅と転写紙の幅を同一の入力ポートで検出することを特徴とする画像形成装置。
【請求項２】
請求項１記載の画像形成装置において、前記第１のセンサで検出された原稿の用紙幅、第２のセンサで検出された転写紙の幅ともに、検出されたセンサ信号をＤ／Ａ（デジタル／アナログ）変換を行うことを特徴とする画像形成装置。
【請求項３】
請求項１記載の画像形成装置において、前記第２のセンサで検出される、セットされた複数の転写紙幅も同一の入力ポートで検出することを特徴とする画像形成装置。
【請求項４】
請求項１、請求項２または請求項３記載の画像形成装置において、原稿の用紙幅と転写紙の幅の共通使用を紙幅系列によって分けることを特徴とする画像形成装置。
【請求項５】
請求項１、請求項２、請求項３または請求項４記載のの画像形成装置において、転写紙幅検知センサは、給紙ユニットイニシャル動作時のみ有効になることを特徴とする画像形成装置。
【発明の詳細な説明】
【技術分野】
【０００１】
本発明は、原稿読み取り装置、給紙搬送装置それぞれに必要なセンサの数に対して、入力ポートの数を減らした画像形成装置に関する。
【背景技術】
【０００２】
近年、原稿を自動移動させて画像を読み取る読取装置において、原稿幅をセンサ等で検出し、その検出結果をフィードバックし、原稿から読み取ったデータを画像形成するための転写紙を、原稿幅に合わせて自動で選択する方式が多く取られている。
汎用のＡ３サイズまでの原稿を読み取る読取装置、もしくは複写機であれば、原稿自動移動装置に原稿をセットした時点で、最大でもＡ３サイズまでの原稿が処理される。また、原稿受け台もＡ３原稿までであれば載せることが可能なものが多く、原稿の横幅と長さという２次元的な原稿サイズの検出が可能である。そのため、センサの設置位置によって、マトリックスを組めば少ないセンサ数で、多くの原稿サイズ検知することが可能であった。
以下の特許文献１には、割り込みコピーを行う際に、最多使用原稿サイズに対するメモリ残量から割り込みコピーの実行可否を決定することにより、最多使用サイズよりメモリ残量が小さい場合のコピー再作業を回避し、作業効率を向上させた画像形成装置が提案されている。
【特許文献１】特開２０００−１２２４８０公報
【発明の開示】
【発明が解決しようとする課題】
【０００３】
ところで、例えば広幅サイズの複写機の場合、原稿長が長いものや短いものなど統一されていないのが実情であり、原稿がセットされた時点で、まず原稿の幅を検出し、その後、原稿を移動させて、原稿が挿入されてから抜けきるまでの時間で、原稿の長さを検出している。
このような構成の場合、原稿セット時点では原稿の幅を検出するため、各サイズの幅に合わせて横一列にセンサが必要であり、そのセンサの出力を検出するためのＣＰＵ（中央演算処理装置）等の入力ポートもセンサの数に合わせて必要となっていた。
また、転写紙においても同様の問題が発生しており、広幅サイズの複写機の場合、転写紙にロール紙を用いていることが多く、用紙サイズの検出とは、いわば転写ロール紙の幅を検出することである。そして、その転写紙幅を検出しようとすると、各サイズの幅に合わせて横一列にセンサが必要であり、原稿幅検出同様、そのセンサの出力を検出するためのＣＰＵ等の入力ポートもセンサの数に合わせて必要になっていた。
【０００４】
そこで、本発明の第１の目的は、原稿読み取り装置も給紙搬送装置もそれぞれの用紙の幅を検出し、それぞれの装置で検出する用紙幅サイズ数が同じになる場合が多いということに鑑み、原稿幅を検出するセンサの出力と転写紙幅を検出するセンサの出力を切替えて共通の入力ポートに入力することで、原稿読み取り装置、給紙搬送装置それぞれに必要なセンサの数に対して、入力ポートの数を減らし、またセンサ出力検出のためのソフトのリソースも共通にした画像形成装置を提供することである。
本発明の第２の目的は、それぞれの装置で検出されたパラレルなセンサ信号を、Ｄ／Ａ（デジタル／アナログ）変換によりアナログ信号に変換し、その変換されたアナログ信号を切替えて共通のアナログポートに入力することによって、使用するポートの数をアナログポートの１本のみにした画像形成装置を提供することである。
【０００５】
本発明の第３の目的は、複数の給紙搬送装置にそれぞれ転写紙幅検出センサが搭載されている場合は、その信号も共通化し、使用ポートの数を削減した画像形成装置を提供することである。
本発明の第４の目的は、紙幅にはＡ列、Ｂ列の様に異系列の紙幅が存在するが、通常は1つの系列で十分であり、その他の系列はオプション等の機能で付け加えられることが多いため、そのような異系列の有り無しに対応可能なように、センサの共通化を系列によって分けた画像形成装置を提供することである。
本発明の第５の目的は、実際に転写紙が変更される可能性があるのは、給紙搬送装置の挿抜動作がされた時であり、１回転写紙幅が確認されれば装置の挿抜がされるまで転写紙幅の確認は必要ないので、転写紙幅の検出は、電源の立ち上がり時、もしくは装置の挿抜が行われた時のイニシャル動作時に実行し、後は読み取り装置の原稿幅検出動作専用にすることで、複雑な検出制御を必要としないポート共通使用を可能とした画像形成装置を提供することである。
【課題を解決するための手段】
【０００６】
請求項１記載の発明では、挿入される原稿の用紙幅を検知する第１のセンサを備え、原稿移動により当該原稿を読み取る読取手段と、前記読取手段で読み取った原稿画像データを処理する画像処理手段と、前記画像処理手段で処理された原稿画像データを所定の転写紙に転写する転写手段と、転写紙の幅を検知する第２のセンサを備え、前記転写手段に転写紙を搬送する搬送手段と、を備え、前記第１のセンサの出力と前記第２のセンサの出力を切替えて共通の入力ポートに入力することで、原稿の用紙幅と転写紙の幅を同一の入力ポートで検出することを特徴とする画像形成装置により、前記第１の目的を達成する。
【０００７】
。
請求項２記載の発明では、請求項１記載の画像形成装置において、前記第１のセンサで検出された原稿の用紙幅、第２のセンサで検出された転写紙の幅ともに、検出されたセンサ信号をＤ／Ａ（デジタル／アナログ）変換を行うことで、前記第２の目的を達成する。
請求項３記載の発明では、請求項１記載の画像形成装置において、前記第２のセンサで検出される、セットされた複数の転写紙幅も同一の入力ポートで検出することで、前記第３の目的を達成する。
請求項４記載の発明では、請求項１、請求項２または請求項３記載の画像形成装置において、原稿の用紙幅と転写紙の幅の共通使用を紙幅系列によって分けることで、前記第４の目的を達成する。
請求項５記載の発明では、請求項１、請求項２、請求項３または請求項４記載のの画像形成装置において、転写紙幅検知センサは、給紙ユニットイニシャルの動作時のみ有効になることで、前記第５の目的を達成する。
【発明の効果】
【０００８】
請求項１、請求項２および請求項３記載の発明では、原稿幅、転写紙幅を検出するセンサ信号を、検出するサイズに合わせて共通のポートに入力することで、用紙幅検出に必要なＣＰＵポート数の削減や、ソフトのリソースの共通使用など、資源の有効活用ができる。
請求項４記載の発明では、センサの共通化を紙サイズの系列によって分けることで、各シリーズ、オプション等に対応でき、無駄な部品を使用しないことが可能となる。
請求項５記載の発明では、転写紙幅の検出を電源投入時や、給紙搬送装置の挿抜によるイニシャル動作時に実行することで、通常動作中にセンサ出力検出のための余分な切替等の動作をなくし、簡単な制御で、且つセンサの原稿幅と転写紙幅の読み間違いを防止することができる。
【発明を実施するための最良の形態】
【０００９】
以下、本発明の好適な実施の形態を図１ないし図６を参照して詳細に説明する。
図１は、本実施の形態に係る画像形成装置の概略図であり、図２は、原稿読取装置の断面図である。
図２に示す原稿読取装置は、ガイド板２、原稿搬送ローラ３とその従動ローラ４、ガイド板５、バックアップローラ８とそのアーム９、ガイド板１０、コンタクトガラス１１、光源１２、セルフォックレンズアレイ１３、密着イメージセンサ１４、ガイド板１５、１６、原稿搬送ローラ１７とその従動ローラ１８、ガイド板１９、２０、分岐爪２１、排紙ローラ２２とその従動ローラ２３を備えている。
【００１０】
この装置は、原稿１を図示しない駆動手段によって各搬送ローラを回転させることによって、定速で搬送しながら光源１２により照射し、その反射光をセルフォックレンズアレイ１３により密着イメージセンサ１４に結像させ、画像信号を電気信号として、取り出している。
給紙搬送装置は、図１において、符号Ｂ、Ｃで表された部分であり、スプール等既知の手段によりセットされたロール紙４０は、図示しない駆動手段によって回転させられるフィードローラ４１等の各ローラの回転によって搬送される。
また、装置内の搬送経路上には、用紙幅を検知するための転写紙幅センサ４２が設置されている。
【００１１】
図３は、原稿読取装置の原稿挿入部を示した図である。この図に示すように、ガイド板３１に沿って、原稿を挿入し、挿入された原稿のサイズによって、ガイド板３１の内側に設置されている所定の位置の原稿幅検知センサ３０がＯＮ／ＯＦＦするようになっている
。
図４は、給紙搬送装置を前面に引き出したところを示した図である。この図に示すように、カバーの内側に転写紙幅検知センサ４２が横一列に設置されており、転写用紙のサイズにより所定の位置の転写紙幅センサ４２がＯＮ／ＯＦＦするようになっている。これらの転写紙幅センサ４２出力はＰＣＢ基板５０に入力される。
図５に示すように、ＰＣＢ基板５０は、ＣＰＵ（中央演算処理装置）５２、メモリ、ロジックＩＣ等で構成されており、ＰＣＢ基板５０に入力されたセンサ信号は、ＣＰＵ５２のポートに入力される前に入力された複数の信号を切替えて出力するスイッチングＩＣ５４等を介してからＣＰＵ５２のポートへ入力されるようになっている。
【００１２】
第２の実施例（請求項２に該当）では、図６に示すように、アナログポートがある場合は、ＰＣＢ基板６０に入力された信号をＡ／Ｄ（アナログ／デジタル）変換回路６６でアナログ信号に変換しＣＰＵ６２へ入力するか、もしくは、さらにスイッチングＩＣ６４を用いて、それぞれの信号を共通のＣＰＵ６２のアナログポートへ入力するようにしてもよい。
第３の実施例（請求項３に該当）では、給紙搬送装置が複数ある場合、各装置のセンサ信号を１回スイッチングＩＣで集約して、その後、読取装置からの原稿幅検出信号とスイッチングするような構成になっている。あるいは第２に実施例の様にＡ／Ｄ変換を行っても良い。
第４の実施例（請求項４に該当）では、系列によってＰＣＢ基板への入力、また、スイッチングＩＣもそれぞれ別に設ける構成になっている。
【００１３】
次に、本実施の形態の構成の動作について説明する。
原稿幅、転写紙幅、それぞれのセンサの出力はＰＣＢ基板へ入力され、そのＰＣＢ基板に入力されたセンサ信号はスイッチングＩＣに入力される。
スイッチングＩＣは制御信号によりＩＣに入力された信号の出力を切替えるＩＣであり、例えば、ＣＰＵから出力される制御信号がＬレベル信号の場合、原稿幅を検出したセンサ出力が、Ｈレベルの場合、転写紙幅を検出したセンサ出力がＣＰＵへ入力される。
各信号を検出しているポートの役割は、原稿幅であろうと転写紙幅であろうと、例えばＣＰＵのポートはＡ４幅検出と、共通の役割にしているため、用紙幅の検出は共通のリソースを使用でき、ＣＰＵは現在入力されている信号が原稿幅のものか転写紙幅のものかを注意するだけでよい。
第２、第３、第４の実施例でもアナログポートになった、もしくは検出する信号が増えたというだけで、ＣＰＵのポート自体の検出動作は同様である。
第５の実施例（請求項５に該当）は、転写紙幅の検出は、機械の電源立ち上げ時、もしくは給紙装置の挿抜動作が行われた時に実行され、転写紙幅の検出動作が終了後は原稿幅検出専用となる。
【図面の簡単な説明】
【００１４】
【図１】本発明に係る画像形成装置の外観を示した概略図である。
【図２】原稿読取装置の断面図である。
【図３】原稿読取装置の原稿挿入部の図である。
【図４】給紙搬送装置を前面に引き出した時の図である。
【図５】ＰＣＢ基板の構成を示した図である。
【図６】アナログポートが備わっているＰＣＢ基板の構成を示した図である。
【符号の説明】
【００１５】
１    原稿
２    ガイド板
３    原稿搬送ローラ
４    従動ローラ
５    ガイド板
６    ガイド板
８    バックアップローラ
９    アーム
１０  ガイド板
１１  コンタクトガラス
１２  光源
１３  セルフォックレンズアレイ
１４  密着イメージセンサ
１５  ガイド板
１６  ガイド板
１７  原稿搬送ローラ
１８  従動ローラ
１９  ガイド板
２０  ガイド板
２１  分岐爪
２２  排紙ローラ
２３  従動ローラ
３１  ガイド板
３０  原稿幅センサ
４０  ロール紙
４１  フィードローラ
４２  転写紙幅センサ
５０、６０  ＰＣＢ基板
５２、６２  ＣＰＵ
５４、６４  スイッチングＩＣ
６６  Ａ／Ｄ変換回路
【図１】
2006011318.tif 000003
【図２】
2006011318.tif 000004
【図３】
2006011318.tif 000005
【図４】
2006011318.tif 000006
【図５】
2006011318.tif 000007
【図６】
2006011318.tif 000008